(57)【要約】  テスト試料中、特に生理流体中の検体の量を測定するための、メータ（１４）とテストストリップ（１０）とを有する検体測定装置用のアダプタ（１２）であって、所定の設計のテストストリップとの使用のために設計されたメータに接続するためのメータインターフェース（２０）と、異なる設計のテストストリップに接続するためのテストストリップインターフェース（２２）と、前記テストメータによる使用のための前記異なる設計のテストストリップからの出力、及び／もしくは、前記異なる設計のテストストリップによる使用のためのテストメータからの出力を適合させるための手段と、を具備するアダプタ。【選択図】図１
2012511146.tif 000002
【特許請求の範囲】
【請求項１】
テスト試料中の、特に生理流体中の検体の量を測定するための、メータとテストストリップとを有する検体測定装置用のアダプタであって、所定の設計のテストストリップとの使用のために設計されたメータに接続するためのメータ用インターフェースと、異なる設計のテストストリップに接続するためのテストストリップ用インターフェースと、テストメータによる使用のための前記異なる設計のテストストリップからの出力、及び／もしくは、前記異なる設計のテストストリップによる使用のためのテストメータからの出力を適合させるための手段と、を具備するアダプタ。
【請求項２】
前記メータ用インターフェースと前記テストストリップ用インターフェースとは、１つもしくは複数のコネクタを有しており、前記メータ用インターフェースのコネクタと前記テストストリップ用インターフェースのコネクタとは、異なる構成を有しており、前記アダプタは、前記メータ用インターフェースのコネクタと前記テストストリップ用インターフェースのコネクタとを接続するための手段を有している、請求項１に記載のアダプタ。
【請求項３】
前記メータ用インターフェースと前記テストストリップ用インターフェースとは、１つもしくは複数のコネクタを有しており、前記メータ用インターフェースのコネクタと前記テストストリップ用インターフェースのコネクタとは、ほぼ同じ構成を有しており、前記アダプタは、前記メータ用インターフェースのコネクタと前記テストストリップ用インターフェースのコネクタとを接続するための手段を有している、請求項１に記載のアダプタ。
【請求項４】
前記コネクタは、前記テストストリップと前記メータとの間に電気信号を送出するための電気コネクタである、請求項２又は３に記載のアダプタ。
【請求項５】
異なる数のメータ用インターフェースのコネクタとテストストリップ用インターフェースのコネクタとが設けられており、前記アダプタは、前記テストストリップからの信号を適合させて適切な信号を前記メータのコネクタに与えるように、及び／もしくは、前記テストメータからの信号を適合させて適切な信号を前記テストストリップに与えるように、動作可能である、請求項１又は２に記載のアダプタ。
【請求項６】
メータ用インターフェースのコネクタとテストストリップ用インターフェースのコネクタとの数が同じであり、前記アダプタは、前記テストストリップからの信号を適合させて適切な信号を前記メータのコネクタに与えるように動作可能である、請求項１乃至３のいずれか１に記載のアダプタ。
【請求項７】
前記メータによる使用のための前記テストストリップからの１つもしくは複数の信号を適合させるための手段を具備する、請求項１乃至６のいずれか１に記載のアダプタ。
【請求項８】
前記メータに与えるための前記テストストリップからの信号を増幅させるための手段を具備する、請求項７に記載のアダプタ。
【請求項９】
前記テストストリップに与えるための減じた数の信号を形成するために、前記テストストリップからの複数の信号を互いに組み合わせるように動作可能である、請求項１乃至８のいずれか１に記載のアダプタ。
【請求項１０】
前記テストストリップに与えるための減じた数の信号を形成するために、前記メータからの複数の信号を互いに組み合わせるように動作可能である、請求項１乃至９のいずれか１に記載のアダプタ。
【請求項１１】
前記テストメータに与えるための増加された数の信号を形成するために、前記テストストリップからの複数の信号を適合させるように動作可能である、請求項１乃至１０のいずれか１に記載のアダプタ。
【請求項１２】
前記テストストリップに与えるための増加された数の信号を形成するために、前記メータからの信号を適合させるように動作可能である、請求項１乃至１１のいずれか１に記載のアダプタ。
【請求項１３】
活性要素を供給するための電力供給部を具備する、請求項１乃至１２のいずれか１に記載のアダプタ。
【請求項１４】
前記メータに与えるための前記テストストリップからの１つもしくは複数の信号を処理するためのプロセッサを具備する、請求項１乃至１３のいずれか１に記載のアダプタ。
【請求項１５】
前記アダプタを前記メータと前記テストストリップとに物理的に固定するための手段を具備する、請求項１乃至１４のいずれか１に記載のアダプタ。
【請求項１６】
テスト試料中の、代表的に生理流体中の検体の量を測定するためのテストストリップであって、テストメータによる使用のためのテストストリップからの出力を適合させるための一体的に形成されたアダプタと、前記アダプタを前記ストリップ上のテスト信号発生手段に接続するための１つもしくは複数のコネクタと、前記アダプタと前記メータとを接続するためのメータ用インターフェースとを含む、テストストリップ。
【請求項１７】
前記メータ用インターフェースは、１つもしくは複数のコネクタを有する、請求項１６に記載のテストストリップ。
【請求項１８】
前記メータのコネクタと前記テストストリップのコネクタとは、異なる構成を有しており、前記アダプタは、前記メータ用インターフェースのコネクタと前記テストストリップ用インターフェースのコネクタとを接続するための手段を有する、請求項１７に記載のテストストリップ。
【請求項１９】
これらコネクタは、前記テストストリップと前記アダプタとの間に電気信号を送出するための電気コネクタである、請求項１６乃至１８のいずれか１に記載のテストストリップ。
【請求項２０】
異なる数の前記メータ用インターフェースのコネクタとテストストリップのコネクタとが設けられており、前記アダプタは、前記テストストリップからの信号を適合させ、且つ前記メータのコネクタに適切な信号を与えるように動作可能である、請求項１６乃至１９のいずれか１に記載のテストストリップ。
【請求項２１】
前記アダプタは、前記メータによる使用のための前記テストストリップの信号発生要素からの１つもしくは複数の信号を適合させるための手段を有する、請求項１６乃至２０のいずれか１に記載のテストストリップ。
【請求項２２】
前記アダプタは、前記メータに与えるための前記テストストリップからの信号を増幅させるための手段を有する、請求項１６乃至２０のいずれか１に記載のテストストリップ。
【請求項２３】
前記プロセッサは、前記テストメータに与えるための減じた数の信号を形成するための手段を有する、請求項１６乃至２２のいずれか１に記載のテストストリップ。
【請求項２４】
前記プロセッサは、前記テスト信号発生手段に与えるための減じた数の信号を形成するために、前記メータからの複数の信号を互いに組み合わせるように動作可能である、請求項１６乃至２２のいずれか１に記載のテストストリップ。
【請求項２５】
前記プロセッサは、前記テストメータに与えるための増加された数の信号を形成するために、前記テスト信号発生手段からの複数の信号を適合させるように動作可能である、請求項１６乃至２２のいずれか１に記載のテストストリップ。
【請求項２６】
前記プロセッサは、前記テスト信号発生手段に与えるための増加された数の信号を形成するために、前記メータからの複数の信号を適合させるように動作可能である、請求項１６乃至２２のいずれか１に記載のテストストリップ。
【請求項２７】
活性要素を供給するための電力供給部を有する、請求項１６乃至２６のいずれか１に記載のテストストリップ。
【請求項２８】
前記アダプタを前記メータに物理的に固定するための手段を有する、請求項１６乃至２７のいずれか１に記載のテストストリップ。
【請求項２９】
前記メータに与えるための前記テストストリップからの１つもしくは複数の信号を処理するためのプロセッサを有している、請求項１６乃至２８のいずれか１に記載のテストストリップ。
【請求項３０】
前記検体は、グルコースである、請求項１乃至２９のいずれか１に記載のテストストリップ。
【請求項３１】
互換可能なメータとテストストリップとを使用してサンプル、例えば生理流体をテストするための方法であって、前記メータと前記テストストリップとの間に互換可能なブリッジを設けるように動作可能であるアダプタを使用して前記メータと前記テストストリップとを接続することを含む、方法。
【発明の詳細な説明】
【技術分野】
【０００１】
本発明は、流体中の物質の濃度、例えば、血液試料中のグルコースのような、患者からの生理流体中の検体の濃度を測定するためのテストストリップ及びメータシステムを使用するための装置に関わる。
【背景技術】
【０００２】
糖尿病は、最も広く知られている非感染病の１つである。世界人口の約４％が糖尿病を患っていると、予測されている。更に、糖尿病の有病率は、特に先進国で、増加している。糖尿病との合併症が、心臓発作と、脳卒中と、血液循環の不調と、腎臓の損傷と、失明と、足もしくは脚の切断をもたらし得る神経伝導の不調とに罹る高い危険性を有している。
【０００３】
血液中のグルコースの濃度を算出することは、糖尿病の診断と管理との確立された方法である。糖尿病患者、特にインスリン依存性の糖尿病患者は、治療計画に合わせ且つこれを改良するために、１日数回血糖レベルをモニタリングするように勧められている。複数回血糖レベルが測定されなければならないので、糖尿病患者は、医師の管理を必要としないで、血糖レベルをセルフモニタリングできることが、非常に好ましい。このことによって、セルフモニタリンググルコース測定装置が、開発されている。これらは、各自のグルコースレベルを管理及びモニタリングするために、患者によって広く使用されている。
【０００４】
公知のセルフモニタリンググルコース測定装置は、一般に、手持ち式の測定装置と、使い捨てのテストストリップとを有する。テストストリップは、代表的に、少なくとも１つの化学試薬と、多くの場合２つ以上の電極、例えば作用電極及び参照電極と、を含む。システムの大部分は、電気化学的な方法によるものであり、メータが、専用のテストストリップポートに特定のテストストリップを受けるように構成されている。
【０００５】
テストストリップを互換可能なメータのストリップポートコネクタ中に挿入すると、このメータはテストストリップの存在を認識し、自動的に動作する。そしてこのメータは、目盛りコード、日時、もしくは他の情報を表示する。そして、このメータは、前記テストストリップに血液の試料を与えるように、ユーザに指示する。試料が前記テストストリップに与えられると、前記メータは、このテストストリップ上の試料の存在を認識し、テストを開始する。このメータは、参照電極と測定電極との間に電位差を与え、この結果、前記テストストリップの測定電極によって信号が発生させられるようにする。この信号は、前記メータによって測定され、対象のテスト試料の検体の濃度もしくは量を算出するために、使用される。前記メータは、電位、並びにバイアスオフ周期を変えるように、より複雑な制御信号を、前記テストストリップに与え得る。
【０００６】
代表的に、メータとストリップとは、一緒に動作するようにのみ設計されており、他の型のメータもしくはストリップと組み合わされて動作することはない。しかしながら、このことによって、新しいメータを市場に導入することを必要としないで前記システムの性能を向上させることが難しくなり、現在の製造業者は、既存のメータに使用するための、改良された性能を有する新しい異なるストリップを、簡単に設計することができない。従って、現在の製造業者がグルコースモニタリングシステムを改良するためには、一般に、新しいストリップと新しいメータとの組み合わせを設計する必要がある。メータが代表的に安く売られるか乱売されているので、現在のユーザに改良された性能を与えるための工程は、ユーザの古いメータと新しいメータとを無料で交換することを、現在の製造業者に求めている。このことは、非常に費用がかかり、時間がかかり、また無駄である。
【発明の概要】
【０００７】
本発明に従えば、テスト試料中の、代表的に生理流体中の検体の量を測定するための、メータとテストストリップとを有する検体測定装置用のアダプタであって、このアダプタは、所定の設計のテストストリップとの使用のために設計されたメータに接続するためのメータ用インターフェースと、異なる設計のテストストリップに接続するためのテストストリップ用インターフェースと、テストメータによる使用のための前記異なる設計のテストストリップからの出力、及び／もしくは、前記異なる設計のテストストリップによる使用のためのテストメータからの出力を適合させるための手段とを有しているアダプタが、設けられる。
【０００８】
テストストリップとメータとの間に設けられることが可能なアダプタを提供することによって、新しい、即ち改良されたテストストリップの設計を、市場に既存のメータと一緒に使用可能にするために、信号が変更され得る。言い換えると、このアダプタは、特定の異なるテストストリップのために設計されるメータと互換可能な他のテストストリップの設計を形成する。更に、単一のテストストリップと目的とするいくつかの異なるメータとの間に互換性を与えるように各々設計されているいくつかの異なるアダプタを設計することが、可能である。このことによって、所定のテストストリップの設計は、異なるテストストリップの設計を使用するために設計された多数のメータのすべてと、互換可能であり得る。
【０００９】
前記メータ用インターフェースと前記テストストリップ用インターフェースとは、１つもしくは複数のコネクタをそれぞれ有し得、前記メータ用インターフェースのコネクタと前記テストストリップ用インターフェースのコネクタとは、互いに異なる構造を有しており、前記アダプタは、前記メータ用インターフェースのコネクタと前記テストストリップ用インターフェースのコネクタとを接続するための手段を有している。
【００１０】
前記メータ用インターフェースと前記テストストリップ用インターフェースとは、１つもしくは複数のコネクタをそれぞれ有し得、前記メータ用インターフェースのコネクタと前記テストストリップ用インターフェースのコネクタとは、互いにほぼ同じ構造であっても良く、前記アダプタは、前記メータ用インターフェースと前記テストストリップ用インターフェースとを接続するための手段を有している。
【００１１】
前記コネクタは、前記テストストリップと前記メータとの間に電気信号を送出するための電気コネクタである。
【００１２】
異なる数のメータ用インターフェースのコネクタとテストストリップ用のインターフェースのコネクタとが設けられている場合、前記アダプタは、前記テストストリップからの信号を適合させて適切な信号を前記メータ用コネクタに与えるように、及び／もしくは前記テストメータからの信号を適合させて適切な信号を前記テストストリップに与えるように動作可能であり得る。
【００１３】
同じ数のメータ用インターフェースのコネクタとテストストリップ用インターフェースのコネクタとが設けられている場合、前記アダプタは、前記テストストリップからの信号を適合させて適切な信号を前記メータ用コネクタに与えるように動作可能であり得る。
【００１４】
前記メータによる使用のための前記テストストリップからの１つもしくは複数の信号を適合させるための手段が、設けられ得る。
【００１５】
前記メータに与えるための前記テストストリップからの信号を増幅するための手段が、設けられ得る。
【００１６】
前記アダプタは、前記テストメータに与えるための減じた数の信号を形成するために、前記テストストリップからの複数の信号を互いに組み合わせるように動作可能であり得る。また、前記アダプタは、前記テストストリップに与えるための減じた数の信号を形成するために、前記メータからの複数の信号を互いに組み合わせるように動作可能であり得る。また、前記アダプタは、前記テストメータに与えるための増加された数の信号を形成するために、前記テストストリップからの複数の信号を適合させるように動作可能であり得る。また、前記アダプタは、前記テストストリップに与えるための増加された数の信号を形成するために、前記メータからの複数の信号を適合させるように動作可能であり得る。
【００１７】
電力供給部が、活性要素を供給するために設けられ得る。加えて、もしくは代わって、プロセッサが、前記メータに与えるための前記テストストリップからの１つもしくは複数の信号を処理するために、設けられ得る。
【００１８】
前記アダプタを前記メータと前記テストストリップとに物理的に固定するための手段が、設けられ得る。
【００１９】
本発明の他の態様に従えば、テスト試料中、代表的に生理流体中の検体の量を測定するためのテストストリップであって、テストメータによる使用のためのテストストリップからの出力を適合させるための一体的に形成されたアダプタと、前記アダプタを前記ストリップ上のテスト信号発生手段に接続するための１つもしくは複数のコネクタと、前記アダプタと前記メータとを接続するためのメータ用インターフェースとを含むテストストリップが、設けられる。
【００２０】
前記メータ用インターフェースは、１つもしくは複数のコネクタを有し得る。前記メータのコネクタと前記テストストリップのコネクタとは、異なる構造を有し得、前記アダプタは、前記メータ用インターフェースのコネクタと、前記テストストリップ用インターフェースとを接続するための手段を含む。
【００２１】
前記コネクタは、前記テストストリップと前記アダプタとの間に電気信号を送出するための電気コネクタであり得る。
【００２２】
異なる数のメータ用のインターフェースのコネクタとテストストリップのコネクタとが設けられている場合、前記アダプタは、前記テストストリップからの（複数の）信号を適合させ、適切な信号を前記メータのコネクタに与えるように動作可能であり得る。
【００２３】
前記メータによる使用のための前記テストストリップの信号発生要素からの１つもしくは複数の信号を適合させるための手段が、設けられ得る。また、前記メータに与えるための前記テストストリップからの信号を増幅させるための手段が、設けられ得る。
【００２４】
前記アダプタは、前記テストメータに与えるための減じた数の信号を形成するために、前記テスト信号発生手段からの複数の信号を適合させるように動作可能であり得る。同様に、前記アダプタは、前記テスト信号発生手段に与えるための減じた数の信号を形成するために、前記メータからの複数の信号を互いに組み合わせるように動作可能であり得る。
【００２５】
前記アダプタは、前記テストメータに与えるための増加された数の信号を形成するために、前記テスト信号発生手段からの複数の信号を適合させるように動作可能であり得る。前記アダプタは、前記テスト信号発生手段に与えるための増加された数の信号を形成するために、前記メータからの複数の信号を適合させるように動作可能であり得る。
【００２６】
電力供給部が、活性要素を供給するために設けられ得る。また、前記アダプタを前記メータに物理的に固定するための手段が、設けられ得る。
【００２７】
本発明の他の態様に従えば、互いに互換可能でないメータとテストストリップと使用して、試料、例えば生理流体をテストするための方法であって、前記メータと前記テストストリップとの間の互換可能なブリッジを提供するように動作可能なアダプタを使用して、前記メータと前記テストストリップとを接続することを含む方法が、提供される。
【図面の簡単な説明】
【００２８】
【図１】図１は、テストストリップと別のアダプタとを有し、試料中の検体を測定するためのシステムの平面図である。
【図２】図２は、試料中の検体を測定する際に使用するための一体化されたアダプタを有するテストストリップの平面図である。
【発明を実施するための形態】
【００２９】
本発明の種々の態様が、添付の図を参照して、例だけの目的で、説明される。
【００３０】
本発明は、血液試料中のグルコースのレベルのような、流体試料中の所定の物質の存在及び／もしくは濃度の決定のために、電気読み出しメータとテストストリップとの間にインターフェースを設けるように設計されているアダプタに関わる。このアダプタは、通常は互換可能ではないテストストリップとメータとの間に互換性を与えるように適合されている。例えば、このアダプタは、異なる電極構成、電極数、電極のサイズ、テストストリップの幅／厚みを特に、マッチングさせるように構成されている。このアダプタは、互換可能で安価なテストストリップが、高価なテストストリップとの使用のために当初設計された既存の電気メータと、互換可能となることができるように、設計され得る。このことによって、テストストリップの製造業者は、テストストリップの価格が重要である設置された基本のメータで使用するための、安価なテストストリップを提供することができる。
【００３１】
図１は、テストストリップ１０の例を示しており、このテストストリップ１０は、他のテストストリップと関連して動作するように設計されているメータ１４中に挿入するためのアダプタ１２に取着されている。このアダプタ１２は、制御及び／もしくは変換回路を収容している外側のハウジング１６を有している。このハウジング１６の一方の端部から、目的とするメータ１４のストリップポートのコネクタに適合されるように設計されている電気接触部のアレー２０が、延びている。このアレー２０は、前記テストストリップ１０の一端に設けられており当初の設計の前記メータ１４中に挿入するために適合されている複数の接触部のアレーと同じように、構成されている。突出した電気接触部のセット２０を挿入することによって、前記アダプタ１２は、目的とするメータ１４に、固定して、もしくは取り外し可能に取着される。このことは、いかなる適切な取り付けによっても果され得る。
【００３２】
前記アダプタのハウジング１６の他方の端部には、前記目的とするメータ１４と使用されるために前記テストストリップ１０の挿入可能な端部を収容するように設計されているストリップポートコネクタ２２が、設けられている。前記ストリップポートコネクタ２２は、（示されていない）接触部を有しており、これら接触部は、前記ストリップ１０の挿入可能な端部に設けられている接触部を、前記テストストリップとアダプタ１２との間に有効な電気的かつ物理的な接触を与えるために、マッチングさせるように設計されている。前記ストリップを前記アダプタのストリップポートのコネクタ中に挿入することによって、前記テストストリップは、所定位置に保持される。
【００３３】
前記アダプタ１２中には、電気回路１８が、収容されている。この電気回路１８は、前記アダプタストリップポートコネクタ２２と、前記目的とするメータ１４のストリップポートコネクタ中に挿入されている前記接触部のアレー２０とを介して、他のテストストリップ１０の接触部を、前記目的とするメータ１４のストリップポートコネクタ内に配置されている接触部に、連結させる。また、前記電気回路１８は、テスト試料を他のテストストリップの活性領域に適用するときに、前記他のテストストリップ１０によって発生される信号は、前記目的とするメータ１４にとって所望の形態に変換されるように、設定されている。例えば、電極からの読み取りの、平均化、繰り返し、拡大、所定の誤りの訂正、もしくは、必要に応じた遅延が、為され得る。
【００３４】
上記のアダプタ１２を使用することによって、ユーザのメータ１４を取り換えることを必要としないで、改良された製品性能を提供することが、可能である。例えば、一実施形態では、アダプタ１２は、前記テストストリップによって提供される信号が増幅され得るように設計されており、従って、前記テストストリップ上の電極のサイズが十分に減じられ得る。前記電極のサイズを減じることによって、前記テストストリップの血液の必要量を減じ、血液グルコーステストに伴う痛みを減じることが、可能である。このことは、ユーザに新しいメータを分配することを必要としないで、為され得る。
【００３５】
テストストリップの精度は、妨害物質の影響を取り除くように構成されているストリップを、この性能を提供するように構成されていないメータと一緒に使用されることができるようにすることによって、改良され得る。この例では、テストストリップ１０が、標準の作用電極に加えてバックグラウンド補正電極を組み込むように設計されることができる。そして、アダプタ１２は、前記バックグラウンド補正電極からの読み取りが、前記標準の作用電極によって提供される読み取りから差し引かれ得、そしてこの作用電極の信号が前記アダプタ１２を通って前記メータ１４に送出されるように、設計されている。このようにして、前記バックグラウンド補正は、前記メータ１４に対してトランスペアレント（transparent）であり、かくして、前記設置された基本のメータを依然として使用しながら精度を向上させることが、可能である。バックグラウンド補正によって、妨害物質の影響が、測定され、且つグルコースの読み取りから除かれることが可能であり、かくして、アスコルビン酸、パラセタモール、ゲンチシン酸、尿酸のような一般の妨害物質に対するシステムの感度が取り除かれる。
【００３６】
前記アダプタは、電気化学ストリップと既存の機器との間にインターフェースを設け、この機器に、機能を追加する。前記ストリップから機器への信号を再構成することに加えて、前記アダプタは、この機器から前記ストリップへの信号を適合させるために設けられることができる。例えば、主要な機器中のチャンネルの数が前記電気化学ストリップ中のチャンネルの数と異なる場合、前記アダプタは、使用可能な信号を伝送し、この結果、信号の流れの方向に関係なく、機器と電気化学ストリップとの両方が満たされる。この場合、前記アダプタは、電気接続を再構成し、例えば合流するコネクタを提供し、一端部にｎ個の接続部と、他の端部にｎ−ｘ個の接続部を提供するように、単純に構成され得る。
【００３７】
電流を測定する機器の場合、前記アダプタは、電気化学ストリップの電流発生特性を、ホスト機器にとって所望の電流の範囲にマッピングするように、設けられ得る。同様に、前記アダプタは、ホスト機器によって出力される電圧を、前記電気化学ストリップに所望の電位差に変換することができる。加えて、もしくは代わって、前記アダプタのモジュールが、前記電気化学ストリップが前記機器のタイミング必要条件と互換可能となるように、タイミング必要条件を変換することができる。
【００３８】
活性化が起きると、例えば、ストリップがメータ中に挿入されると、前記アダプタは、前記メータから、もしくは前記電気ストリップへと、回路を通して活性化信号を送出するように動作可能であり得、これによって電気互換性を与え、また、２つの装置間で異なるタイミング必要条件を与えるようにシフトされた時間になり得る。
【００３９】
前記アダプタがストリップ／メータの再構成もしくは適合を実施する方法の他の例は、電流を分配もしくは合流させる機能を含む。例えば、電流を分配する構成の（in a current splitting configuration）オペアンプが、電流源を、所定の分配で、電気化学ストリップへと機器の方向で、複数の電流シンク中に分配し、もしくは電気化学ストリップから機器へと分配するように使用され得る。他の例では、電流を合流させる構成が、複数の電流源から機器の方向で電気化学ストリップに所定の分配を供給し、もしくは電気化学ストリップから機器へと、１つの電流シンクに所定の分配を供給するように実施され得る。上記のいかなる場合も、マイクロコントローラとアナログ・デジタル変換器とデジタル・アナログ変換器とを、信号処理回路と一緒に使用することによって果たされ、また、ソフトウェアプログラムによって制御される。
【００４０】
図１を参照して説明されたアダプタは分離しているが前記テストストリップ１０に接続可能であり、また、前記ストリップ２６と一体であり得る。例えば、前記アダプタ２８は、前記メータ中に挿入される前記テストストリップ２６の端部にプリントもしくはラミネートされることが可能である。図２は、このことの例である。この場合、前記アダプタ２８は、プリント、ラミネートもしくは他の方法で前記テストストリップ２６の端部に取着される電気回路３０を有している。接続部３２が、前記アダプタ２８の電気回路と前記テストストリップの電気回路との間に、前記ストリップ２６の全長に沿って、設けられている。目的とするメータの所定の接触部３４が、前記メータ１４中に挿入されなければならないストリップの端部に設けられている。既に述べた通り、これらは、前記目的とするメータ１４をマッチングさせるように構成されている。
【００４１】
前記テストストリップと一体化されたアダプタを有することの有効性は、前記電気回路が、ユーザがアダプタを換えることを必要としないで、簡単に取り換えられることができることである。また、新しいストリップの交換が、前記メータ中に差し込まれる別個のアダプタを必要としないので、エンドユーザに対してほぼトランスペアレントである。更に、目盛りコードや使用期限の情報のような他の機能性が、前記ストリップに追加され得る。
【００４２】
図２の一体化されたテストストリップとアダプタとの配置では、基本のテストストリップが、特定の電気アダプタ回路と接触部との追加のために空いた状態であるように前記下側の端部に余白を有する単純な設計で形成され得る。このようにして、テストストリップの１つの設計が、目的とする多数の異なるメータに適合するように、「重み付け（flavoured）」され得る。
【００４３】
本発明の範囲と精神とに反しない本発明の説明された実施形態の種々の変更及び変形が、当業者に明らかであろう。例えば、前記アダプタのモジュールは、ホスト機器によって、もしくは（示されていない）バッテリーのような電力供給部によって、動力を供給され得る。本発明は、特に好ましい実施形態と関連して説明されているが、請求される本発明は、このような特定の実施形態に過度に限定されない。実際、当業者にとって自明である本発明を実行するための説明された形態の種々の変更は、本発明の範囲内である。
【図１】
2012511146.tif 000003
【図２】
2012511146.tif 000004
【国際調査報告】
2012511146.tif 000005
2012511146.tif 000006
2012511146.tif 000007
2012511146.tif 000008
2012511146.tif 000009